(57)【特許請求の範囲】
【請求項１】
パレットと、パレットに組みつけられた側壁との組合せを有するコンテナであって、
パレットは、台板と台脚とを有し、
台板及び台脚は、帯状鋼板にフォーミング成形された凹凸条を有する形材であり、
台板は、その表面の長さ方向に沿って凹凸条を有する型材であり、台板の表面に形成される凹条は、パレット上に組付けるコンテナの側壁または区画壁を差し込む溝となるものであり、
台脚は、型材の対間にスペーサを介在させて一体に組み立てられ、
２以上の台板は、すのこ状に配列され、台脚は、すのこ状に配列された２以上の台板を横切って各台板の両端よりも外方に張り出してその下面に取付けられ、台板の下方にフォークリフトのフォークの差込空間を形成するものであり、
側壁は、ダンボール紙であり、角型に折り曲げられ、第１方向の対の側壁は、パレットの両端に位置する台板の凹条に差し込まれ、第２方向の対の側壁は、台脚上に支えられ、４周側壁の上部開口は施蓋されているものであることを特徴とするコンテナ。
【請求項２】
コンテナ内を２以上に仕切る区画壁を有するコンテナであって、
区画壁はダンボール紙であり、第１方向の区画壁と、第２方向の区画壁とからなり、前記各台板は、少なくとも２条の凹条を有し、
前記各台板は、少なくとも２条の凹条を平行に有し、区画壁はダンボール紙であり、
前記第１方向の区画壁と、第２方向の区画壁とは互いに交差して組み合わされ、第１方向の区画壁は、台板の凹条内にコンテナの第１方向の側壁と平行に差し込まれているものであることを特徴とする請求項１に記載のコンテナ。
【発明の詳細な説明】
【０００１】
【発明の属する技術分野】
本発明は、フォークおよびクレーンを用いて品物の荷役・運搬並びに貯蔵を行なうパレットと、このパレットに組付けるコンテナの構造に関する。
【０００２】
【従来の技術】
上記パレットはすのこ状をなし、パレット上に積み付けられた品物を、５００Ｋｇあるいは１トン程度のユニットロードとして荷役、運搬、貯蔵する場合に用いられる。パレットは、フォークの挿入、クレーン荷役に適したすのこ状の台であり、パレットに搭載するコンテナを含めて従来は、木製のものが大部分であった。
【０００３】
しかし、木製、特に針葉樹を使用したパレット、コンテナの問題点として害虫の問題がある。すなわち、木材をパレットに加工したときに、針葉樹の幹に生息するマツノザイセンチュウといった線虫類がそのままパレットの材料内で生存を続け、あるいは材木に産み付けられて卵が孵化し、そのパレットを用いて輸出した品物の輸入国の樹木が線虫の被害を受ける危険がある。
【０００４】
これはパレットに限らず、パレットに組合されるコンテナであっても同じである。線虫類がそのままコンテナの材料内で生存を続け、あるいは材木に産み付けられて卵が孵化し、品物の輸入国の樹木に悪影響を与える虞がある。
【０００５】
このような理由から、パレットの材料を木材から合成樹脂製、鋼製のパレットが用いられ、また、コンテナについては鋼製のものが用いられるようになっているのが実情である。
【０００６】
【発明が解決しようとする課題】
パレットやコンテナの材料を木材から合成樹脂製や鋼製に変えることによって、材木のように朽ちることがなく、あるいは、強度の増大を図ることができるといった特徴はあるとしても、重量が大きくなり、材料としての合成樹脂や鋼の特徴が特に生かされているわけではなかった。
【０００７】
本発明の目的は、材料に鋼材を用い、軽量でコンテナの組付けが可能な荷役・運搬用パレットにダンボールの側壁を組付けたコンテナを提供することにある。
【０００８】
【課題を解決するための手段】
上記目的を達成するため、本発明によるコンテナにおいては、パレットと、パレットに組みつけられた側壁との組合せを有するコンテナであって、
パレットは、台板と台脚とを有し、
台板及び台脚は、帯状鋼板にフォーミング成形された凹凸条を有する形材であり、
台板は、その表面の長さ方向に沿って凹凸条を有する型材であり、台板の表面に形成される凹条は、パレット上に組付けるコンテナの側壁または区画壁を差し込む溝となるものであり、
台脚は、型材の対間にスペーサを介在させて一体に組み立てられ、
２以上の台板は、すのこ状に配列され、台脚は、すのこ状に配列された２以上の台板を横切って各台板の両端よりも外方に張り出してその下面に取付けられ、台板の下方にフォークリフトのフォークの差込空間を形成するものであり、
側壁は、ダンボール紙であり、角型に折り曲げられ、第１方向の対の側壁は、パレットの両端に位置する台板の凹条に差し込まれ、第２方向の対の側壁は、台脚上に支えられ、４周側壁の上部開口は施蓋されているものである。
【００１２】
また、コンテナ内を２以上に仕切る区画壁を有するコンテナであって、
区画壁はダンボール紙であり、第１方向の区画壁と、第２方向の区画壁とからなり、前記各台板は、少なくとも２条の凹条を有し、
前記各台板は、少なくとも２条の凹条を平行に有し、区画壁はダンボール紙であり、
前記第１方向の区画壁と、第２方向の区画壁とは互いに交差して組み合わされ、第１方向の区画壁は、台板の凹条内にコンテナの第１方向の側壁と平行に差し込まれているものである。
【００１３】
【発明の実施の形態】
以下に本発明の実施の形態を図によって説明する。図１において、本発明による荷役・運搬用コンテナに用いるパレットＰは、通常のパレットと同様に、複数本の台板１と、各台板１を支える複数の台脚２との組合わせからなるものである。
【００１４】
各台板１及び台脚２は、図２に示すようにステンレス鋼などの帯状鋼板に、その長さ方向に、１条または２条ずつの凹凸条３がフォーミング成形された型材であり、パレットＰの大きさに応じて帯状鋼板を予め定められた寸法に切断したものである。
【００１５】
図２において、台板１には、１本の型材Ｍを用い、図３に示すように３本の台脚２上に支え、一定間隔ですのこ状に配列されている。台板１の型材表面に形成される凹条３ａ、３ｂは、後述するようにパレットＰ上に組付けるコンテナの側壁または区画壁を差し込む溝となる。凹条は１条であっても構わないが、２条以上設けて型材の強度を増大させ、また、コンテナの側壁と区画壁との差し込みに備える。
【００１６】
図２において、台脚２は、対の型材Ｍ，Ｍと、スペーサ４との組合わせによって構成され、型材Ｍ，Ｍの対間にスペーサ４を介在させ、パレットＰとして必要な一定の立上がり高さを確保し、対の型材Ｍ，Ｍと、スペーサ４とは溶接等によって一体に組み立てる。
【００１７】
台脚２は、図１に示すように、すのこ状に配列された２以上の台板１，１，・・・を横切り、各台板の両端よりも外方に張り出してその下面に溶接等によって取付けられ、台板１の下方にフォークリフトのフォークの差込空間を形成している。
【００１８】
図４に、本発明による荷役・運搬用パレットＰに組みつけられたコンテナを示す。本発明において、コンテナ５の側壁には、１枚のダンボール紙Ｂを用いている。ダンボール紙Ｂは、予め定めた折り曲げ線Ｌに沿って角型に折り曲げられ、第１方向（前後面）の対の側壁部分Ｗ１は、図５に示すようにパレットＰの両端に位置する台板１の凹条３ａ内に差込み、第２方向（左右側面）の対の側壁Ｗ２は、各台板の両端よりも外方に張り出した台脚２上に支えてパレットＰ上に組付けて保形し、コンテナの４周側壁の上部開口は、別途用意した蓋板６で施蓋する。
【００１９】
また、コンテナ内を２以上に仕切るときには、図６に示すように区画壁７にダンボール紙の対を用い、ダンボール紙に付された切り込み線（図示略）同士を互いに差し込んで第１方向（横方向）の区画壁７ａと、第２方向（縦方向）の区画壁７ｂとを互いに十字に交差させて一体に結合したものを用いる。
【００２０】
取付に際しては、第１方向の区画壁７ａの下縁を図５に示す要領で両端の台板１に形成された２条の凹条３ａ，３ｂのうちの残りの凹条３ｂ内にコンテナの第１方向の側壁部分Ｗ１と平行に差し込んでパレットＰ上に組付け、さらに、コンテナ５の側壁をその上に被せて図４の要領で第１方向（前後面）の対の側壁部分Ｗ１の下縁を台板１の他の凹条３ａに差込み、コンテナの４周側壁の上部開口を蓋板６で施蓋してコンテナの組立てを完了する。
【００２１】
本発明において、台板の長さ、幅、凹条数、深さ、幅に関しては、何ら限定されるものではないが、以下に台板の型材の形状の１例を示す。
〇台板（ステンレス型材）（図２、図５（ａ）参照）
長さ（Ｌ）１０７０ｍｍ、幅（Ｗ）５５ｍｍ
〇凹条（凹条の数２条）
各凹条の幅（ｔ）１５ｍｍ、凹条の深さ（ｄ）１０ｍｍ、
２条の凹条の間隔（ｓ）２０ｍｍ
【００２２】
上記台板１に組合せるコンテナ５として、厚さ１６ｍｍ、３段のダンボール紙を用いたところ、パレットＰ上への品物の搭載に際し、コンテナの側壁および仕切壁をパレットＰの凹条内に差し込んで一定形態に保形できた。なお、コンテナの荷役、運搬に際しては、通常のように結束バンドを用いてコンテナ５をパレットＰに緊締する。
【００２３】
【発明の効果】
以上のように本発明によるときには、各台板は、その表面の長さ方向に沿って凹凸条を有する型材を用い、その凹条を溝としてパレット上に組付けるコンテナの側壁または区画壁を差し込むため、コンテナにダンボール紙を用いてパレット上へのコンテナの取付けを容易に行なうことができる。
【００２４】
また、パレットの各台板及び台脚には、帯状鋼板にフォーミング成形された凹凸条を有する型材を共通に用いて軽量で強度の大きい荷役・運搬用パレットを提供できる。さらに、各台板として少なくとも２条の凹条を平行に有する型材を用い、コンテナ内を仕切るダンボール製の区画壁をさらに組合わせてこれをパレットに定着できる効果を有する。
【図面の簡単な説明】
【図１】本発明の１実施形態を示すパレットの斜視図である。
【図２】パレットの分解図である。
【図３】パレットの平面図である。
【図４】コンテナの組付け状態を示す図である。
【図５】（ａ）は、台板の凹条にダンボール紙を差し込んだ状態を示す要部の斜視図、（ｂ）は同正面図である。
【図６】パレットのコンテナとともにさらに仕切壁を組付けた状態を示す図である。
【符号の説明】
１  台板
２  台脚
３  凹凸条
３ａ、３ｂ  凹条
４  スペーサ
５  コンテナ
６  蓋板
７  区画壁
Ｂ  ダンボール
Ｗ１  コンテナの第１壁部分
Ｗ２  コンテナの第２壁部分
【図１】
0004716209.tif 000002
【図２】
0004716209.tif 000003
【図３】
0004716209.tif 000004
【図４】
0004716209.tif 000005
【図５】
0004716209.tif 000006
【図６】
0004716209.tif 000007